(57)【要約】【課題】  キャビネット内に２枚の基板を収容した電子機器において、製造コストの上昇を招くことなく、両基板の対向面に配備された一対のコネクターの嵌合が浅くなったり、コネクターを基板に固定している半田接合部に不良が生じることを防止する。【解決手段】  本発明に係る電子機器においては、キャビネットの内部に、複数のキー接点を具えたキー基板５と複数の電子部品を搭載した回路基板７とが互いに連結されて収容され、キー基板５と回路基板７の対向面に配備された雄雌一対のコネクター52、72が互いに嵌合している。キャビネット半体11とキー基板５との間にはラバーシート４が介在し、該ラバーシート４には、キー基板５のコネクター52とは背中合わせの表面領域に向けて、該表面領域を弾性反発力によって常時押圧する凸部42が形成されている。【選択図】      図４
2005183100.tif 000002
【特許請求の範囲】
【請求項１】
表面に複数の操作キーが配列されたキャビネットの内部に、前記複数の操作キーにそれぞれ対応する複数のキー接点を具えたキー基板と、複数の電子部品を搭載した回路基板とが、上下２段に連結されて収容され、キー基板と回路基板の対向面に配備された雄雌一対のコネクターが互いに嵌合しており、前記複数の操作キーが配列されたキャビネットの内面とキー基板との間には弾性シートが介在し、各操作キーの操作力が弾性シートを介してキー基板の各キー接点に伝えられる電子機器において、前記弾性シートには、前記キー基板のコネクターとは背中合わせの表面領域に向けて、該表面領域を弾性反発力によって常時押圧する凸部が形成されていることを特徴とする電子機器。
【請求項２】
キー基板と回路基板の間には、両基板を互いに連結するシャーシが介在し、両基板に配備された前記一対のコネクターは、該シャーシに形成された開口を経て互いに嵌合している請求項１に記載の電子機器。
【発明の詳細な説明】
【技術分野】
【０００１】
本発明は、携帯電話機の如く複数の操作キーを具えた電子機器に関し、特にキャビネット内に２枚の基板が配備された電子機器に関するものである。
【背景技術】
【０００２】
従来、携帯電話機においては、図６に示す如く、一対のキャビネット半体(81)(82)を接合してキャビネット(８)が形成され、該キャビネット(８)の内部には、ディスプレイ(84)が取り付けられた第１基板(83)と、シールドケース(87)が取り付けられた第２基板(86)とが収容され、両基板の間には複数のフック(91)を具えた樹脂製のシャーシ(９)が介在して、該シャーシ(９)によって両基板(83)(86)が互いに機械的に連結されている。
又、第１基板(83)と第２基板(86)の対向面には、雄コネクター(85)と雌コネクター(88)が配備され、両コネクターが互いに嵌合して、両基板(83)(86)の電気的な接続が為されている(特許文献１)。
【特許文献１】特開２００１−６９２１２号公報[H04M1/02]
【発明の開示】
【発明が解決しようとする課題】
【０００３】
しかしながら、図６に示す従来の携帯電話機においては、２枚の基板(83)(86)の間にはシャーシ(９)のフック(91)による連結構造が採用されているに過ぎなかったため、外部から大きな衝撃力が作用した場合、両基板(83)(86)に位置ずれが発生して、雄コネクター(85)と雌コネクター(88)の嵌合が浅いものとなったり、両コネクター(85)(88)を基板(83)(86)に固定している半田にクラックが発生して電気的接続状態が不良となる問題があった。
【０００４】
そこで従来は、雄コネクター(85)と雌コネクター(88)をそれぞれ基板(83)(86)に接着剤によって固定する対策や、フック(91)を出来るだけコネクター(85)(88)に近接させて配備する対策等が施されてきたが、接着剤による固定によっても雄コネクター(85)と雌コネクター(88)の嵌合が浅くなる問題を解決することは出来ず、フック(91)の位置をコネクター(85)(88)に近接させて配備する対策には、他の部品との位置関係で限界があった。
又、両コネクター(85)(88)の嵌合を維持するための特別な構造の採用によって製造コストが上昇することは避ける必要があった。
【０００５】
本発明の目的は、キャビネット内に２枚の基板を収容した電子機器において、製造コストの上昇を招くことなく、両基板の対向面に配備された一対のコネクターの嵌合が浅くなったり、コネクターを基板に固定している半田接合部に不良の発生することのない電子機器を提供することである。
【課題を解決するための手段】
【０００６】
本発明に係る電子機器においては、表面に複数の操作キー(13)が配列されたキャビネット(１)の内部に、前記複数の操作キー(13)にそれぞれ対応する複数のキー接点を具えたキー基板(５)と、複数の電子部品を搭載した回路基板(７)とが、上下２段に連結されて収容され、キー基板(５)と回路基板(７)の対向面に配備された雄雌一対のコネクター(52)(72)が互いに嵌合している。前記複数の操作キー(13)が配列されたキャビネット(１)の内面とキー基板(５)との間には弾性シートが介在し、各操作キー(13)の操作力が弾性シートを介してキー基板(５)の各キー接点に伝えられる。又、前記弾性シートには、前記キー基板(５)のコネクター(52)とは背中合わせの表面領域に向けて、該表面領域を弾性反発力によって常時押圧する凸部(42)が形成されている。
尚、弾性シートとしては、天然ゴム若しくは合成ゴム製のラバーシートの他、合成樹脂等の種々の弾性材料からなるシートを採用することが出来る。
【０００７】
具体的構成において、キー基板(５)と回路基板(７)の間には、両基板(５)(７)を互いに連結するシャーシ(６)が介在し、両基板(５)(７)に配備された前記一対のコネクター(52)(72)は、該シャーシ(６)に形成された開口(63)を経て互いに嵌合している。
【０００８】
上記本発明の電子機器においては、キャビネット(１)内面とキー基板(５)の間に弾性シートが介在し、該弾性シートに形成された凸部(42)が僅かに圧縮された状態で挟持されており、該凸部(42)の弾性反発力がキー基板(５)のコネクター(52)とは背中合わせの領域に作用して、キー基板(５)を回路基板(７)に向けて押圧している。この結果、キー基板(５)のコネクター(52)と回路基板(７)のコネクター(72)とは互いに接近する方向に常に押圧されることとなり、互いの深い嵌合が維持されている。
従って、落下時などの衝撃によって、キー基板(５)と回路基板(７)に対して互いに離間させる方向の力が作用したとしても、弾性シートの凸部(42)の弾性反発力によって、両コネクター(52)(72)の離脱が阻止される。
【０００９】
又、衝撃力の作用によって、キャビネット(１)の内部でキー基板(５)と回路基板(７)がキャビネット(１)の内面に沿う方向に僅かに変位したとしても、弾性シートの凸部(42)が高さ方向とは直交する方向に弾性変形することにより、該凸部(42)のキー基板(５)に対する押圧位置がずれることはなく、キー基板(５)のコネクター(52)とは背中合わせの領域を押圧し続けるので、両コネクター(52)(72)の嵌合が確実に維持される。然も、コネクター(52)(72)は基板(５)(７)に強く押し付けられて基板(５)(７)に保持されているので、コネクター(52)(72)を基板(５)(７)に固定している半田接合部に不良が発生する虞はない。
【発明の効果】
【００１０】
本発明に係る電子機器によれば、弾性シートに凸部を形成しただけの簡易な構造の採用によって、２枚の基板の対向面に配備された一対のコネクターの嵌合が浅くなったり、コネクターを基板に固定している半田接合部に不良が発生することを防止することが出来、然も、該構造の採用によって部品点数は増加しないので、製造コストが上昇することはない。
【発明を実施するための最良の形態】
【００１１】
以下、本発明を折り畳み式携帯電話機に実施した形態につき、図面に沿って具体的に説明する。
本発明に係る折り畳み式携帯電話機においては、図１に示す如く、操作側キャビネット(１)と表示側キャビネット(２)がヒンジ機構(３)によって互いに開閉可能に連結されている。操作側キャビネット(１)は内側キャビネット半体(11)と外側キャビネット半体(12)を接合して構成され、その内面には複数の操作キー(13)が配備されると共に、ヒンジ機構(３)とは反対側の端部に送話部(14)が配備されている。又、表示側キャビネット(２)の内面には、ディスプレイ(21)が配備されると共に、ヒンジ機構(３)とは反対側の端部に受話部(22)が配備されている。
【００１２】
操作側キャビネット(１)の内部には、図２に示す如く、内側キャビネット半体(11)側から順に、ラバーシート(４)、キー基板(５)、シャーシ(６)及び回路基板(７)が配備されている。ここで、ラバーシート(４)は内側キャビネット半体(11)の内面に密着して設置されている。又、キー基板(５)と回路基板(７)はシャーシ(６)によって互いに連結された状態で、ラバーシート(４)の裏面に密着して設置されている。
【００１３】
内側キャビネット半体(11)には複数のキー孔(11a)が開設されている。ラバーシート(４)の表面には、前記複数の操作キー(13)が配備されており、これらの操作キー(13)が前記キー孔(11a)からキャビネット内面側に臨出する。ラバーシート(４)の裏面には、各操作キーと背中合わせの位置に押し子(41)が突設されている。キー基板(５)の表面には複数のドームスイッチ(図示省略)が突設され、各ドームスイッチがラバーシート(４)の各押し子(41)と僅かな隙間をあけて対向している。
従って、任意の操作キー(13)を操作すると、その操作力がラバーシート(４)を介してキー基板(５)の対応するドームスイッチに伝えられ、そのドームスイッチが押下されて、キー接点が閉じられることになる。
【００１４】
シャーシ(６)は合成樹脂の一体成型品であって、その外周部には、回路基板(７)を保持するための複数のフック(61)が突設されると共に、キー基板(５)を保持するための複数のフック(62)が突設されている。又、シャーシ(６)には複数の開口(63)が形成されている。
回路基板(７)には複数の電子部品(71)が搭載されている。又、キー基板(５)と回路基板(７)の対向面には、雄コネクター(52)及び雌コネクター(72)が配備され、両コネクター(52)(72)が互いに嵌合することによって、キー基板(５)に配備された複数のドームスイッチからの電気信号が回路基板(７)の電子部品(71)に伝えられて、キー操作に応じた動作が実現される。
尚、キー基板(５)の雄コネクター(52)と回路基板(７)の雌コネクター(72)とは、シャーシ(６)の開口(63)を経て互いに嵌合する。
【００１５】
更に、ラバーシート(４)には、キー基板(５)の雄コネクター(52)とは背中合わせの表面領域に向けて、該表面領域を弾性反発力によって常時押圧するための凸部(42)が、一体に成されている。
凸部(42)は、図５に示す如く、前記キー基板(５)の表面に搭載されるチップ部品(図示省略)との干渉を避ける様に外形が規定されており、その高さＨ２は、ラバーシート(４)の他の領域の最大厚さＨ１よりも０.０５ｍｍ程度大きく形成されている。
【００１６】
図３に示す如く、雄コネクター(52)及び雌コネクター(72)は、操作側キャビネット(１)の操作キー(13)の存在しない位置に配備されており、図４に示す如く、キー基板(５)の雄コネクター(52)と回路基板(７)の雌コネクター(72)とが互いに嵌合した状態で、キー基板(５)と操作側キャビネット(１)の内側キャビネット半体(11)との間に、ラバーシート(４)の凸部(42)が僅かに(０.０５ｍｍ程度)圧縮された状態で介在している。
従って、ラバーシート(４)の凸部(42)の弾性反発力によってキー基板(５)が回路基板(７)に向けて押圧され、その結果、雄コネクター(52)と雌コネクター(72)の間の深い嵌合が維持されることになる。
【００１７】
即ち、落下時等の衝撃力の作用によって、キー基板(５)と回路基板(７)に対して互いに離間させる方向の力が作用したとしても、ラバーシート(４)の凸部(42)の弾性反発力によって両基板(５)(７)の離間が抑制されているので、両コネクター(52)(72)の嵌合が浅くなることはない。
又、衝撃力の作用によって、キャビネット(１)の内部でキー基板(５)と回路基板(７)がキャビネット内面に沿う方向に僅かに変位したとしても、ラバーシート(４)の凸部(42)が高さ方向とは直交する方向に弾性変形することにより、該凸部(42)のキー基板(５)に対する押圧位置がずれることはなく、キー基板(５)のコネクター(52)とは背中合わせの領域を押圧し続けるので、両コネクター(52)(72)の嵌合は確実に維持される。然も、コネクター(52)(72)は基板(５)(７)に強く押し付けられて基板(５)(７)に保持されているので、コネクター(52)(72)を基板(５)(７)に固定している半田接合部に不良が発生する虞はない。
又、携帯電話機に衝撃力が作用した場合、ラバーシート(４)の凸部(42)の弾性によって衝撃力が吸収されるので、コネクター(52)(72)の損傷を防止することが出来る。
【００１８】
更に、ラバーシート(４)の凸部(42)とキー基板(５)の間の摩擦によって、キー基板(５)のがたつきが阻止されるので、コネクター(52)(72)に対する負荷を軽減することが出来る。
更に又、ラバーシート(４)に凸部(42)を一体成型した簡易な構造のため、部品点数が増加せず、然も、接着剤によってコネクター(52)(72)を基板(５)(７)に固定する必要はないので、工数が増大せず、製造コストの上昇を招くことはない。
【図面の簡単な説明】
【００１９】
【図１】本発明に係る折り畳み式携帯電話機の斜視図である。
【図２】該折り畳み式携帯電話機の要部を示す分解斜視図である。
【図３】操作側キャビネットの平面図である。
【図４】図３のＡ−Ａ線に沿う要部の拡大断面図である。
【図５】ラバーシートの凸部の拡大斜視図である。
【図６】従来の携帯電話機の断面図である。
【符号の説明】
【００２０】
(１)  操作側キャビネット
(２)  表示側キャビネット
(11)  内側キャビネット半体
(12)  外側キャビネット半体
(13)  操作キー
(４)  ラバーシート
(41)  押し子
(42)  凸部
(５)  キー基板
(52)  雄コネクター
(６)  シャーシ
(７)  回路基板
(72)  雌コネクター
【図１】
2005183100.tif 000003
【図２】
2005183100.tif 000004
【図３】
2005183100.tif 000005
【図４】
2005183100.tif 000006
【図５】
2005183100.tif 000007
【図６】
2005183100.tif 000008